(57)【要約】【課題】比較的大形の表示装置であっても静圧が比較的低いファンによりキャビネット内の温度上昇を抑制することができ、効率的放熱と低騒音とを実現することができる表示装置を提供する。【解決手段】前側に表示面１１ａを有する表示部１の後側を被覆するキャビネット２内の上側に空気を導入する第１の導入口２１と、第１の導入口２１から導入された空気を外部へ排出させる第１のファン３と、キャビネット２内の下側に空気を導入する第２の導入口２３と、第２の導入口２３から導入された空気を外部へ排出させる第２のファン４とを設け、キャビネット２内の上側の空気の流れ、及び下側の空気の流れをスムーズし、空気の循環を促進できるようにした。【選択図】図１
2008164802.tif 000002
【特許請求の範囲】
【請求項１】
前側に表示面を有する表示部と、該表示部の後側を被覆するキャビネットとを備え、該キャビネット内を放熱路としてある表示装置において、前記キャビネット内の上側及び下側夫々に空気を導入する第１及び第２の導入口と、該第１及び第２の導入口夫々から導入された空気を外部へ排出させる第１及び第２のファンとを備えることを特徴とする表示装置。
【請求項２】
前記第１及び第２の導入口夫々から導入された空気を前記第１及び第２のファン夫々へ誘導する第１及び第２の誘導体を備える請求項１記載の表示装置。
【請求項３】
前記キャビネットは、下部に前記第２の導入口を、上下方向の中間部に前記第１の導入口及び前記第２のファンに対応する第２の排出口を、上部に前記第１のファンに対応する第１の排出口を夫々有しており、前記第１の導入口と第２の排出口との間に、前記第２のファンが吹出す空気と前記第１の導入口から導入された空気とが混合するのを防ぐべき隔壁を設けてある請求項１又は２記載の表示装置。
【請求項４】
前記隔壁は、前記第２のファンと第２の排出口との間に配してあるダクトである請求項３記載の表示装置。
【請求項５】
前記キャビネットは、下部に前記第２の導入口を、上下方向の中間部に前記第１の導入口及び前記第２のファンに対応する第２の排出口を、上部に前記第１のファンに対応する第１の排出口を夫々有しており、前記第１の導入口と前記第１の誘導体との間、前記第２の導入口と前記第２の誘導体との間、前記第１のファンと前記第１の排出口との間及び前記第２のファンと前記第２の排出口との間の夫々にダクトを配してある請求項２記載の表示装置。
【請求項６】
前記キャビネットは、下部に前記第２の導入口を、上下方向の中間部に前記第１の導入口及び前記第２のファンに対応する第２の排出口を、上部に前記第１のファンに対応する第１の排出口を夫々有しており、前記第１の導入口と第２の排出口とは横方向の位置を異にしてある請求項１又は２記載の表示装置。
【請求項７】
前記第１及び第２の誘導体は、横方向へ離隔して複数並設され、各第１の誘導体の下部と対応する位置に前記第１の導入口を、各第２の誘導体の下部と対応する位置に前記第２の導入口を、各第１の誘導体の上部と対応する位置に前記第１のファン及び第１の排出口を、各第２の誘導体の上部と対応する位置に前記第２のファン及び第２の排出口を夫々配してある請求項３乃至６のいずれか一つに記載の表示装置。
【請求項８】
前記第１及び第２の誘導体は横方向の位置を異にしてある請求項７記載の表示装置。
【請求項９】
前記第１の導入口は前記第１の誘導体の下部と対応する位置に横方向へ離隔して複数並設され、前記第１のファン及び第１の排出口は前記第１の誘導体の上部と対応する位置に横方向へ離隔して複数並設され、前記第２の導入口は前記第２の誘導体の下部と対応する位置に横方向へ離隔して複数並設され、前記第２のファン及び第２の排出口は前記第２の誘導体の上部と対応する位置に横方向へ離隔して複数並設されている請求項１乃至６のいずれか一つに記載の表示装置。
【請求項１０】
各第１の導入口と、各第２の導入口と、各第１のファン及び各第１の排出口と、各第２のファン及び各第２の排出口とは横方向の位置を夫々異にしてある請求項９記載の表示装置。
【請求項１１】
前記キャビネットは、前記第２の排出口を前記第１の導入口よりも上側に開口させるダクトを有する請求項３乃至１０のいずれか一つに記載の表示装置。 
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビ等の表示装置は、画像を表示する表示面を前側に有する表示部と、下側に吸気孔を及び上側に排気孔を有し、前記表示部の後側を被覆するキャビネットと、該キャビネット内の上側に配されたファンとを備え、該ファンの駆動により前記吸気孔からキャビネット内へ吸気した空気を前記排気孔から外部へ排出し、キャビネット内の温度上昇を抑制するように構成されている（例えば特許文献１参照）。
【０００３】
また、液晶テレビは表示部の後側に複数のランプが上下に並設され、さらに該ランプの後側に複数の回路基板及び電源基板が設けられている。
【特許文献１】特開平１０−２３３９７９号公報
【発明の開示】
【発明が解決しようとする課題】
【０００４】
ところで、比較的小型の表示装置にあっては、特許文献１に記載されているように内側の上部にファンが配置されるキャビネットの下側に吸気孔を設け、上側に排気孔を設ける放熱構造とすることにより、キャビネット内の温度上昇を抑制することができる。
【０００５】
しかし、薄型液晶テレビ、薄型プラズマテレビは年々大形化されており、薄型液晶テレビにあっては上下に並設されるランプを有するバックライト部が発生する熱が増大し、キャビネット内全域の温度が上昇することになり、また、薄型プラズマテレビにあっては表示パネルが発生する熱が増大し、キャビネット内全域の温度が上昇することになるため、キャビネット内の温度上昇を抑制する手段として、特許文献１に記載されているようにキャビネットの下側に吸気孔を設け、上側に排気孔が設けられる放熱構造を採用した場合、吸気孔からファン及び排気孔までの距離が比較的長くなる。従って、静圧が高く、出力の大きいファンを用いてキャビネット内の通気性を高める必要がある。
【０００６】
ところが、静圧が高く、出力の大きいファンは一般的に騒音も大きいため、この騒音が家庭用表示装置としての許容限度を超えることになり、対応策が要望されていた。因に、家庭用表示装置の許容騒音値は３０dBA 以下であるが、例えば１００吋を超える表示装置に、特許文献１に記載されている放熱構造を採用した場合の騒音は、３７．８dBA となり、許容騒音値を大きく超えることになる。
【０００７】
本発明は斯かる事情に鑑みてなされたものであり、主たる目的は表示部の後側を被覆するキャビネット内の上側及び下側夫々に空気を導入する第１及び第２の導入口と、該第１及び第２の導入口夫々から導入された空気を外部へ排出させる第１及び第２のファンとを設けることにより、比較的大形の表示装置であっても静圧が比較的低いファンによりキャビネット内の温度上昇を抑制することができ、効率的放熱と低騒音とを実現することができる表示装置を提供することにある。
【０００８】
また、他の目的は第１及び第２の導入口夫々から導入された空気を第１及び第２のファン夫々へ誘導する第１及び第２の誘導体とを設けることにより、導入した空気による冷却効果を高めることができる表示装置を提供することにある。
【０００９】
また、他の目的はキャビネットの下部に前記第２の導入口を、上下方向の中間部に第１の導入口及び第２のファンに対応する第２の排出口を、上部に第１のファンに対応する第１の排出口を夫々設け、第１の導入口と第２の排出口との間に、第２のファンが吹出す空気と第１の導入口から導入された空気とが混合するのを防ぐべき隔壁を設けることにより、第２の排出口から排出される空気が、第１の導入口から導入された空気に混合するのを防ぐことができる表示装置を提供することにある。
【００１０】
また、他の目的は隔壁を、第２のファンと第２の排出口との間に配してあるダクトとすることにより、加熱された空気がキャビネット内で還流するのを防ぐことができ、キャビネット内の下側での空気排出性を向上することができる表示装置を提供することにある。
【００１１】
また、他の目的はキャビネットの下部に第２の導入口を、上下方向の中間部に第１の導入口及び第２のファンに対応する第２の排出口を、上部に第１のファンに対応する第１の排出口を夫々設け、第１の導入口と第１の誘導体との間、第２の導入口と第２の誘導体との間、第１のファンと第１の排出口との間及び第２のファンと第２の排出口との間の夫々にダクトを設けることにより、キャビネット内の上側の空気の流れ、及び下側の空気の流れをスムーズにできる表示装置を提供することにある。
【００１２】
また、他の目的はキャビネットの下部に第２の導入口を、上下方向の中間部に第１の導入口及び第２のファンに対応する第２の排出口を、上部に第１のファンに対応する第１の排出口を夫々設け、第１の導入口と第２の排出口とを横方向の位置を異ならせることにより、第２の排出口から排出された空気が第１の導入口へ短絡し難くすることができる表示装置を提供することにある。
【００１３】
また、他の目的は第１及び第２の誘導体を横方向へ離隔して複数並設し、各第１の誘導体の下部と対応する位置に第１の導入口を、各第２の誘導体の下部と対応する位置に第２の導入口を、各第１の誘導体の上部と対応する位置に第１のファン及び第１の排出口を、各第２の誘導体の上部と対応する位置に第２のファン及び第２の排出口を夫々設けることにより、キャビネット内の上側及び下側に効率的に空気を導入でき、この導入された空気を効率的に排出することができる表示装置を提供することにある。
【００１４】
また、他の目的は第１及び第２の誘導体の横方向の位置を異ならせることにより、第２の排出口から排出された空気が第１の導入口へ短絡し難くすることができる表示装置を提供することにある。
【００１５】
また、他の目的は第１の導入口を第１の誘導体の下部と対応する位置に横方向へ離隔して複数並設し、第１のファン及び第１の排出口を第１の誘導体の上部と対応する位置に横方向へ離隔して複数並設し、第２の導入口を第２の誘導体の下部と対応する位置に横方向へ離隔して複数並設し、第２のファン及び第２の排出口を第２の誘導体の上部と対応する位置に横方向へ離隔して複数並設することにより、キャビネット内全域での温度上昇を効率的に抑制することができる表示装置を提供することにある。
【００１６】
また、他の目的は各第１の導入口と、各第２の導入口と、各第１のファン及び各第１の排出口と、各第２のファン及び各第２の排出口との横方向の位置を夫々異ならせることにより、キャビネット内での熱交換性を高めることができる表示装置を提供することにある。
【００１７】
また、他の目的は第２の排出口を第１の導入口よりも上側に開口させるダクトを設けることにより、第２の排出口から排出された空気が第１の導入口へ短絡されるのを防ぐことができる表示装置を提供することにある。
【課題を解決するための手段】
【００１８】
本発明に係る表示装置は、前側に表示面を有する表示部と、該表示部の後側を被覆するキャビネットとを備え、該キャビネット内を放熱路としてある表示装置において、前記キャビネット内の上側及び下側夫々に空気を導入する第１及び第２の導入口と、該第１及び第２の導入口夫々から導入された空気を外部へ排出させる第１及び第２のファンとを備えることを特徴とする。
【００１９】
この発明にあっては、第１の導入口からキャビネット内の上側に空気を導入でき、さらに第２の導入口からキャビネット内の下側に空気を導入でき、第１の導入口から導入した空気を第１のファンにより外部へ排出することができ、第２の導入口から導入した空気を第２のファンにより外部へ排出することができるため、比較的大形の表示装置であっても静圧が比較的低いファンを用いてキャビネット内の温度上昇を抑制することができ、効率的放熱と低騒音とを実現することができる。
【００２０】
また、本発明に係る表示装置は、前記第１及び第２の導入口夫々から導入された空気を前記第１及び第２のファン夫々へ誘導する第１及び第２の誘導体を備えることを特徴とする。
【００２１】
この表示装置にあっては、第１の導入口からキャビネット内の上側に導入した空気を第１の誘導体に沿って第１のファンへ誘導することができ、また、第２の導入口からキャビネット内の下側に導入した空気を第２の誘導体に沿って第２のファンへ誘導することができるため、導入した空気による冷却効果を高めることができ、キャビネット内の温度上昇をより一層抑制することができる。
【００２２】
また、本発明に係る表示装置は、前記キャビネットは、下部に前記第２の導入口を、上下方向の中間部に前記第１の導入口及び前記第２のファンに対応する第２の排出口を、上部に前記第１のファンに対応する第１の排出口を夫々有しており、前記第１の導入口と第２の排出口との間に、前記第２のファンが吹出す空気と前記第１の導入口から導入された空気とが混合するのを防ぐべき隔壁を設けてあることを特徴とする。
【００２３】
この表示装置にあっては、下側の第２の排出口から排出される空気が、上側の第１の導入口から導入された空気に混合するのを隔壁によって防ぐことができるため、上側の第１の導入口から導入された空気の昇温を低減でき、キャビネット内の上側での温度上昇をより一層抑制することができる。
【００２４】
また、本発明に係る表示装置は、前記隔壁は、前記第２のファンと第２の排出口との間に配してあるダクトであることを特徴とする。
【００２５】
この表示装置にあっては、第２のファンが吹出す空気をダクトから外部へ確実に排出することができ、加熱された空気がキャビネット内の下側で還流するのを防ぐことができるため、キャビネット内の下側での空気排出性を向上でき、キャビネット内の下側での温度上昇をより一層抑制することができる。
【００２６】
また、本発明に係る表示装置は、前記キャビネットは、下部に前記第２の導入口を、上下方向の中間部に前記第１の導入口及び前記第２のファンに対応する第２の排出口を、上部に前記第１のファンに対応する第１の排出口を夫々有しており、前記第１の導入口と前記第１の誘導体との間、前記第２の導入口と前記第２の誘導体との間、前記第１のファンと前記第１の排出口との間及び前記第２のファンと前記第２の排出口との間の夫々にダクトを配してあることを特徴とする。
【００２７】
この表示装置にあっては、第１の導入口から導入された空気の全量を第１の誘導体へダクトが誘導し、該第１の誘導体が誘導した空気をダクトから外部へ排出でき、また、第２の導入口から導入された空気の全量を第２の誘導体へダクトが誘導し、該第２の誘導体が誘導した空気をダクトから外部へ排出できるため、加熱された空気がキャビネット内の上側及び下側で還流するのを防ぐことができ、しかも、キャビネット内の上側の空気の流れ、及び下側の空気の流れをスムーズにでき、空気の循環を促進できる。
【００２８】
また、本発明に係る表示装置は、前記キャビネットは、下部に前記第２の導入口を、上下方向の中間部に前記第１の導入口及び前記第２のファンに対応する第２の排出口を、上部に前記第１のファンに対応する第１の排出口を夫々有しており、前記第１の導入口と第２の排出口とは横方向の位置を異にしてあることを特徴とする。
【００２９】
この表示装置にあっては、キャビネットとの上下方向中間部に設けられる第１の導入口と、第２の排出口とを横方向へ離隔させることができるため、下側の第２の排出口から排出された空気が上側の第１の導入口へ短絡し難くでき、キャビネット内の放熱の効率を向上することができる。
【００３０】
また、本発明に係る表示装置は、前記第１及び第２の誘導体は、横方向へ離隔して複数並設され、各第１の誘導体の下部と対応する位置に前記第１の導入口を、各第２の誘導体の下部と対応する位置に前記第２の導入口を、各第１の誘導体の上部と対応する位置に前記第１のファン及び第１の排出口を、各第２の誘導体の上部と対応する位置に前記第２のファン及び第２の排出口を夫々配してあることを特徴とする。
【００３１】
この表示装置にあっては、第１の導入口、第１の誘導体、第１のファン及び第１の排出口を一つのブロックとし、このブロックの複数を横方向に並設してあり、また、第２の導入口、第２の誘導体、第２のファン及び第２の排出口を一つのブロックとし、このブロックの複数を横方向に並設してあるため、キャビネット内の上側及び下側に効率的に空気を導入でき、この導入された空気を効率的に排出することができ、キャビネット内全域での温度上昇を効率的に抑制することができる。
【００３２】
また、本発明に係る表示装置は、前記第１及び第２の誘導体は横方向の位置を異にしてあることを特徴とする。
【００３３】
この表示装置にあっては、キャビネットとの上下方向中間部に設けられる第１の導入口と、第２の排出口とを横方向へ離隔させることができ、第２の排出口から排出された空気が第１の導入口へ短絡し難くでき、キャビネット内の放熱の効率を向上することができる。
【００３４】
また、本発明に係る表示装置は、前記第１の導入口は前記第１の誘導体の下部と対応する位置に横方向へ離隔して複数並設され、前記第１のファン及び第１の排出口は前記第１の誘導体の上部と対応する位置に横方向へ離隔して複数並設され、前記第２の導入口は前記第２の誘導体の下部と対応する位置に横方向へ離隔して複数並設され、前記第２のファン及び第２の排出口は前記第２の誘導体の上部と対応する位置に横方向へ離隔して複数並設されていることを特徴とする。
【００３５】
この表示装置にあっては、横方向へ離隔した複数の第１の導入口からキャビネット内の上側へ効率的に空気を導入でき、この導入された空気を、横方向へ離隔した複数の第１の排出口から効率的に排出することができ、また、横方向へ離隔した複数の第２の導入口からキャビネット内の下側へ効率的に空気を導入でき、この導入された空気を、横方向へ離隔した複数の第２の排出口から効率的に排出することができるため、キャビネット内全域での温度上昇を効率的に抑制することができる。
【００３６】
また、本発明に係る表示装置は、各第１の導入口と、各第２の導入口と、各第１のファン及び各第１の排出口と、各第２のファン及び各第２の排出口とは横方向の位置を夫々異にしてあることを特徴とする。
【００３７】
この表示装置にあっては、第１の導入口と第１の排出口との間で空気を斜めに流通させることができ、第２の導入口と第２の排出口との間で空気を斜めに流通させることができるため、キャビネット内での熱交換性を高めることができ、キャビネット内での温度上昇を抑制することができる。
【００３８】
また、本発明に係る表示装置は、前記キャビネットは、前記第２の排出口を前記第１の導入口よりも上側に開口させるダクトを有することを特徴とする。
【００３９】
この表示装置にあっては、第２の排出口から排出された空気が第１の導入口へ短絡されるのを防ぐことができ、第１の導入口から導入される空気の昇温を防ぐことができ、キャビネット内の上側での温度上昇をより一層抑制することができる。
【発明の効果】
【００４０】
以上詳述したように本発明によれば、キャビネット内の上側と、下側とに空気を導入し、上側に導入した空気を第１のファンにより排出し、下側に導入した空気を第２のファンにより排出するため、比較的大形の表示装置であっても静圧が比較的低いファンを用いてキャビネット内の温度上昇を抑制することができ、効率的放熱と低騒音とを実現することができる。
【００４１】
また、本発明によれば、第１の導入口からキャビネット内の上側に導入した空気を第１の誘導体に沿って第１のファンへ誘導することができ、第２の導入口からキャビネット内の下側に導入した空気を第２の誘導体に沿って第２のファンへ誘導することができるため、導入した空気による冷却効果を高めることができ、キャビネット内の温度上昇をより一層抑制することができる。
【００４２】
また、本発明によれば、第２の排出口から排出される空気が、第１の導入口から導入された空気に混合するのを隔壁によって防ぐことができるため、第１の導入口から導入された空気の昇温を低減でき、キャビネット内の上側での温度上昇をより一層抑制することができる。
【００４３】
また、本発明によれば、第２のファンが吹出す空気をダクトから外部へ確実に排出することができ、加熱された空気がキャビネット内で還流するのを防ぐことができるため、キャビネット内の下側での空気排出性を向上でき、キャビネット内の下側での温度上昇をより一層抑制することができる。
【００４４】
また、本発明によれば、第１の導入口から導入された空気の全量をダクトが誘導し、第１の誘導体が誘導した空気を還流させることなくダクトから外部へ排出でき、また、第２の導入口から導入された空気の全量をダクトが誘導し、第２の誘導体が誘導した空気を還流させることなくダクトから外部へ排出できるため、キャビネット内の上側の空気の流れ、及び下側の空気の流れをスムーズにでき、空気の循環を促進できる。
【００４５】
また、本発明によれば、下側の第２の排出口から排出された空気が上側の第１の導入口へ短絡し難くでき、キャビネット内の放熱の効率を向上することができる。
【００４６】
また、本発明によれば、導入口、誘導体、ファン及び排出口を一つのブロックとしてキャビネット内の上側と下側とに横方向へ離隔して並設されているため、キャビネット内の上側及び下側に効率的に空気を導入でき、この導入された空気を効率的に排出することができ、キャビネット内全域での温度上昇を効率的に抑制することができる。
【００４７】
また、本発明によれば、上述のブロックにおける第１及び第２の誘導体の横方向の位置を異ならせることにより、第２の排出口から排出された空気が第１の導入口へ短絡し難くでき、キャビネット内の放熱の効率を向上することができる。
【００４８】
また、本発明によれば、横方向へ離隔した複数の第１及び第２の導入口からキャビネット内の上側、下側へ効率的に空気を導入でき、この導入された空気を、横方向へ離隔した複数の第１及び第２の排出口から効率的に排出することができ、キャビネット内全域での温度上昇を効率的に抑制することができる。
【００４９】
また、本発明によれば、第１の導入口と第１の排出口との間で空気を斜めに流通させることができ、第２の導入口と第２の排出口との間で空気を斜めに流通させることができるため、キャビネット内での熱交換性を高めることができ、キャビネット内での温度上昇を抑制することができる。
【００５０】
また、本発明によれば、第２の排出口から排出された空気が第１の導入口へ短絡されるのを防ぐことができ、第１の導入口から導入される空気の昇温を防ぐことができ、キャビネット内の上側での温度上昇をより一層抑制することができる。
【発明を実施するための最良の形態】
【００５１】
以下本発明をその実施の形態を示す図面に基づいて詳述する。
実施の形態１
図１は本発明に係る表示装置の実施の形態１の構成を示す模式的縦断側面図、図２は模式的背面図、図３はキャビネットの構成を示す背面図である。
【００５２】
図示した表示装置はテレビ画像を表示する表示面を前側に有し、略直方体をなす表示部１と、該表示部１の周縁部及び後側を被覆するキャビネット２とを備え、該キャビネット２内を放熱路としてある薄型液晶テレビ、換言すれば薄型液晶表示装置である。
【００５３】
表示部１は、前側に表示面１１ａを有し略直方体をなすパネル１１と、該パネル１１の後側に配された拡散板等の光学シートと、該光学シートの後側に配置され複数のランプ１２を有するバックライト部１３と、該バックライト部１３の後側に配置された第１及び第２のヒートシンク１４，１５と、該ヒートシンク１４，１５に沿って空気を誘導する第１及び第２の誘導体１６，１７と、第２の誘導体１７の後側に配置された回路基板及び電源基板等の電気部品１８とを備える。
【００５４】
バックライト部１３は、前側が開放された箱形をなすシャーシ１３ａと、該シャーシ１３ａ内に上下に離隔して並設されている複数のランプ１２とを有する。シャーシ１３ａの後面の上側には、ランプ１２が発生した熱をシャーシ１３ａからキャビネット２内へ効率的に放熱するための第１のヒートシンク１４と、第１のヒートシンク１４に沿って空気を上方へ誘導する第１の誘導体１６とが横方向に離隔して夫々複数並設されており、また、シャーシ１３ａの後面の下側には、ランプ１２が発生した熱をシャーシ１３ａからキャビネット２内へ効率的に放熱するための第２のヒートシンク１５と、第２のヒートシンク１５に沿って空気を上方へ誘導する第２の誘導体１７とが横方向に離隔して夫々複数並設されている。
【００５５】
第１のヒートシンク１４と第１の誘導体１６とは前後に離隔して配置され、各第１の誘導体１６の上部に、キャビネット２内の空気を後方の外部へ排出する第１のファン３が夫々取付けられており、第２のヒートシンク１５と第２の誘導体１７とは前後に離隔して配置され、各第２の誘導体１７の上部に、キャビネット２内の空気を後方の外部へ排出する第２のファン４が夫々取付けられている。
【００５６】
第１及び第２のヒートシンク１４，１５は、シャーシ１３ａの後面に接触する基板と、該基板の横方向へ離隔して複数並設された羽根とを有する。
【００５７】
第１の誘導体１６はシャーシ１３ａに結合される上壁及び下壁間に誘導板部１６ａを有する断面略コ字形をなし、誘導板部１６ａの上下部に貫通孔１６ｂ，１６ｃが開設され、吹出方向が後方となるように第１のファン３が上側の貫通孔１６ｂに取付けられている。下側の貫通孔１６ｃは横方向へ長孔状に開設され、後記する第１の導入口からキャビネット２内に導入された空気を可能な限り取込めるようにしてある。
【００５８】
第２の誘導体１７はシャーシ１３ａに結合される上壁及び下壁間に誘導板部１７ａを有する断面略コ字形をなし、誘導板部１７ａの上下部に貫通孔１７ｂ，１７ｃが開設され、吹出方向が後方となるように第２のファン４が上側の貫通孔１７ｂに取付けられており、また、誘導板部１７ａの中央部に回路基板及び電源基板等の電気部品１８が複数並設されている。下側の貫通孔１７ｃは横方向へ長孔状に開設され、後記する第２の導入口からキャビネット２内に導入された空気を可能な限り取込めるようにしてある。
【００５９】
第１及び第２のファン３，４は、その回転中心が横方向となるように配される羽根と、該羽根を駆動するモータとを備える。
【００６０】
キャビネット２は、表示部１の周縁部を被覆する枠部と、該枠部の後端に連なり、表示部１の後側を被覆する蓋板部とを有する深皿形をなし、上下方向中央部で、且つ各第１の誘導体１６の下側の貫通孔１６ｃに対応する位置に、外部の空気をキャビネット２内の上側に導入する第１の導入口２１を横方向へ離隔して複数並設し、上部に、第１のファン３に対応する第１の排出口２２を横方向へ離隔して複数並設し、下部で、且つ各第２の誘導体１７の下側の貫通孔１７ｃに対応する位置に、外部の空気をキャビネット２内の下側に導入する第２の導入口２３を横方向へ離隔して複数並設し、上下方向中央部で、且つ各第１の導入口２１の下側に、第２のファン４に対応する第２の排出口２４を横方向へ離隔して複数並設してある。
【００６１】
以上のように構成された表示装置は、キャビネット２内の上側に、第１の誘導体１６及び第１のファン３が横方向に離隔して複数並設されており、キャビネット２内の下側に、第２の誘導体１７及び第２のファン４が横方向に離隔して複数並設されており、また、キャビネット２の上下方向中央部には、第１の導入口２１と第２の排出口２４とが横方向に離隔して夫々複数並設されており、キャビネット２の上部には第１の排出口２２が横方向に離隔して夫々複数並設されており、キャビネット２の下部には第２の導入口２３が横方向に離隔して夫々複数並設されている。
【００６２】
第１のファン３が駆動されることにより、各第１の導入口２１からキャビネット２内の上側へ外気を導入することができ、この導入された空気を第１の誘導体１６により第１のヒートシンク１４へ誘導しつつ第１のヒートシンク１４に沿って上方へ誘導でき、各第１のファン３から各第１の排出口２２へ吹出し、各第１の排出口２２から外部へ排出することができる。因って、シャーシ１３ａの熱は第１の誘導体１６により誘導される空気に伝えられ、加熱された空気は第１のファン３により強制的に第１の排出口２２から外部へ排出される。
【００６３】
また、第２のファン４が駆動されることにより、各第２の導入口２３からキャビネット２内の下側へ外気を導入することができ、この導入された空気を第２の誘導体１７により第２のヒートシンクへ誘導しつつ第２のヒートシンクに沿って上方へ誘導でき、各第２のファン４から各第２の排出口２４へ吹出し、各第１の排出孔から外部へ排出することができる。因って、シャーシ１３ａの熱は第２の誘導体１７により誘導される空気に伝えられ、加熱された空気は第２のファン４により強制的に第２の排出口２４から外部へ排出される。
【００６４】
このようにキャビネット２内の上側と下側とに空気を導入でき、上側に導入した空気をキャビネット２の上部から排出し、下側に導入した空気をキャビネット２の上下方向中央部から排出するため、比較的大形の表示装置であっても静圧が比較的低いファンを用いてキャビネット２内の温度上昇を抑制することができる。
【００６５】
また、第１の導入口２１、第１の誘導体１６、第１のファン３及び第１の排出口２２が一つの第１のブロックＡとなり、第２の導入口２３、第２の誘導体１７、第２のファン４及び第２の排出口２４が一つの第２のブロックＢとなり、このブロックＡ，Ｂの複数が横方向に並設されているため、キャビネット２内の上側及び下側に効率的に空気を導入でき、この導入された空気を効率的に排出することができる。
【００６６】
実施の形態２
図４は表示装置の実施の形態２の構成を示す模式的縦断側面図である。この表示装置は、各第１の導入口２１と各第１の誘導体１６の下側の貫通孔１６ｃとの間、各第２の導入口２３と各第２の誘導体１７の下側の貫通孔１７ｃとの間、各第１のファン３と各第１の排出口２２との間、及び各第２のファン４と各第２の排出口２４との間の夫々にダクト５ａ，５ｂ，５ｃ，５ｄを設けたものである。
【００６７】
各ダクト５ａ，５ｂ，５ｃ，５ｄは、キャビネット２の第１及び第２の導入口２１，２３の周り、第１及び第２の排出口２２，２４の周りに夫々結合されている。
【００６８】
この表示装置にあっては、各第１の導入口２１に導入された空気を各ダクト５ａにより各第１の誘導体１６の下側の貫通孔１６ｃへ誘導することができ、第１のファン３が吹出す空気を各ダクト５ｃにより各第１の排出口２２へ誘導することができ、各第２の導入口２３に導入された空気を各ダクト５ｂにより各第２の誘導体１７の下側の貫通孔１７ｃへ誘導することができ、各第２のファン４が吹出す空気を各ダクト５ｄにより各第２の排出口２４へ誘導することができる。従って、キャビネット２内の上側の空気の流れ、及び下側の空気の流れをスムーズにでき、空気の循環を促進できる。
その他の構成及び作用は実施の形態１と同様であるため、同様の部品については同じ符号を付し、その詳細な説明及び作用効果の説明を省略する。
【００６９】
実施の形態３
図５は表示装置の実施の形態３の構成を示す模式的背面図である。この表示装置は、各第１のブロックＡと、各第２のブロックＢとの横方向位置を異ならせたものであり、隣合う第１の導入口２１，２１の間に、第２のファン４及び第２の排出口２４が夫々配されている。
【００７０】
この表示装置にあっては、各第１の導入口２１と、各第２の排出口２４とが横方向へ離隔しているため、各第２の排出口２４から排出された空気が各第１の導入口２１へ短絡し難くできる。
その他の構成及び作用は実施の形態１と同様であるため、同様の部品については同じ符号を付し、その詳細な説明及び作用効果の説明を省略する。
【００７１】
実施の形態４
図６は表示装置の実施の形態４の構成を示す模式的背面図である。この表示装置は、キャビネット２内の上側に配される第１の誘導体１６と、下側に配される第２の誘導体１７との夫々を、キャビネット２内の一側部から他側部に亘って配される大きさの一つとし、第１の誘導体１６の上部に第１のファン３を横方向に離隔して複数並設し、第２の誘導体１７の上部に第２のファン４を横方向に離隔して複数並設し、キャビネット２の上下方向中央部には、第１の導入口２１及び第２の排出口２４を夫々横方向に離隔して複数並設し、キャビネット２の上部には第１の排出口２２を横方向に離隔して複数並設し、キャビネット２の下部には第２の導入口２３を横方向に離隔して複数並設したものである。
【００７２】
この表示装置にあっては、第１及び第２の誘導体１６，１７が夫々一つであるため、部品点数を低減でき、組立て作業性を向上できる。
その他の構成及び作用は実施の形態１と同様であるため、同様の部品については同じ符号を付し、その詳細な説明及び作用効果の説明を省略する。
【００７３】
実施の形態５
図７は表示装置の実施の形態５の構成を示す模式的背面図である。この表示装置は、実施の形態４のようにキャビネット２内の一側部から他側部に亘って配される大きさの第１及び第２の誘導体１６，１７をキャビネット２内の上側、下側に設けてなる構成において、各第１の導入口２１と、各第２の導入口２３と、各第１のファン３及び各第１の排出口２２と、各第２のファン４及び各第２の排出口２４との横方向の位置を夫々異ならせたものであり、隣合う第１の導入口２１，２１の間に、第２のファン４及び第２の排出口２４が配されている。
【００７４】
この表示装置にあっては、下側の第２の排出口２４から排出された空気が上側の第１の導入口２１へ短絡し難くでき、キャビネット２内の放熱の効率を向上することができ、キャビネット２内での温度上昇を抑制することができる。
その他の構成及び作用は実施の形態１と同様であるため、同様の部品については同じ符号を付し、その詳細な説明及び作用効果の説明を省略する。
【００７５】
実施の形態６
図８は表示装置の実施の形態６の構成を示す模式的背面図、図９は要部を拡大した模式的断面図である。この表示装置は、キャビネット２の上下方向中央部に配置される各第２の排出口２４を各第１の導入口２１よりも上側に開口させるダクト６を設け、第２の排出口２４から外部へ排出された空気が第１の導入口２１から吸込まれ難いようにしたものである。
【００７６】
この実施の形態において、キャビネット２の各第２のファン４と対応する位置に貫通孔２５を設け、各貫通孔２５の周りに略Ｌ字形をなすダクト６の一端を取付け、他端を上向に開放させ、第２の排出口２４としてある。
【００７７】
この表示装置にあっては、第２の排出口２４から排出された空気が第１の導入口２１へ短絡されるのを防ぐことができ、第１の導入口２１から導入される空気の昇温を防ぐことができる。
その他の構成及び作用は実施の形態１と同様であるため、同様の部品については同じ符号を付し、その詳細な説明及び作用効果の説明を省略する。
【００７８】
尚、以上説明した実施の形態では、第１及び第２の導入口２１，２３、第１及び第２のファン３，４、第１及び第２の排出口２２，２４を夫々横方向に離隔して複数並設したが、その他、これら導入口２１，２３、ファン３，４及び排出口２２，２４の個数は特に制限されない。
【００７９】
また、第１及び第２の導入口２１，２３、第１及び第２の排出口２２，２４の周りに配されるダクト５ａ，５ｂ，５ｃ，５ｄは実施の形態１だけでなく、実施の形態２乃至５においても設けられている。
【００８０】
また、以上説明した実施の形態では、第１及び第２の導入口２１，２３、第１及び第２の排出口２２，２４の周りにダクト５ａ，５ｂ，５ｃ，５ｄを配したが、その他、例えば第１の導入口２１及び第２の排出口２４周りのダクト５ａ，５ｄに代えて、第１の導入口２１と第２の排出口２４との間に、第２のファン４が吹出す空気と第１の導入口２１から導入された空気とが混合するのを防ぐべき隔壁を設けてもよい。
【００８１】
また、以上説明した実施の形態では第１の誘導体１６に第１のファン３を設け、第２の誘導体１７に第２のファン４を設けたが、その他、第１及び第２のファン３，４はキャビネット２に設けてもよい。この場合、第１及び第２の排出口２２，２４にファン３，４を配する構成としてもよい。また、第１及び第２のファン３，４は表示部１、詳しくはシャーシ１３ａに設けてもよい。
【００８２】
また、以上説明した実施の形態では第１及び第２の誘導体１６，１７を設けたが、その他、誘導体１６，１７は必ずしも必要でない。また、誘導体１６，１７を設ける場合、該誘導体１６，１７は断面略コ字形とする他、例えば断面略『形とし、貫通孔１６ｃ，１７ｃを設けることなく下部を開放した構成としてもよい。
【００８３】
また、以上説明した実施の形態では、キャビネット内を上下に二分した個所の夫々に導入口、排出口及びファンを配したが、その他、キャビネット内を上下に三分以上にした個所の夫々に導入口、排出口及びファンを配する構成としてもよい。
【００８４】
また、本発明に係る表示装置は液晶テレビ等の液晶表示装置である他、プラズマ表示装置、ＳＥＤディスプレイ、ＥＬディスプレイ等の表示装置であってもよい。
【図面の簡単な説明】
【００８５】
【図１】本発明に係る表示装置の実施の形態１の構成を示す模式的縦断側面図である。
【図２】本発明に係る表示装置の構成を示す模式的背面図である。
【図３】本発明に係る表示装置のキャビネットの構成を示す背面図である。
【図４】本発明に係る表示装置の実施の形態２の構成を示す模式的縦断側面図である。
【図５】本発明に係る表示装置の実施の形態３の構成を示す模式的背面図である。
【図６】本発明に係る表示装置の実施の形態４の構成を示す模式的背面図である。
【図７】本発明に係る表示装置の実施の形態５の構成を示す模式的背面図である。
【図８】本発明に係る表示装置の実施の形態６の構成を示す模式的背面図である。
【図９】本発明に係る表示装置の要部を拡大した模式的断面図である。
【符号の説明】
【００８６】
１    表示部
１１ａ  表示面
１６  第１の誘導体
１７  第２の誘導体
２    キャビネット
２１  第１の導入口
２２  第１の排出口
２３  第２の導入口
２４  第２の排出口
３  第１のファン
４  第２のファン
５ａ〜５ｄ  ダクト
６  ダクト
【図１】
2008164802.tif 000003
【図２】
2008164802.tif 000004
【図３】
2008164802.tif 000005
【図４】
2008164802.tif 000006
【図５】
2008164802.tif 000007
【図６】
2008164802.tif 000008
【図７】
2008164802.tif 000009
【図８】
2008164802.tif 000010
【図９】
2008164802.tif 000011